(57)【要約】【課題】吸収性物品の中央部での排泄液の吸収面積を従来よりも効果的に広げ、側方への液体の漏れの不安が生じにくい吸収性物品を提供することを目的としている。【解決手段】分割吸収要素１０、１５を境界部１９から左右両側に分けて形成し、前記分割吸収要素１０、１５を圧縮部１６の位置で裏面シート５に固定し、前記分割吸収要素１０、１５の内側端部１０ａ、１５ａを自由端とする。生理用ナプキン１の使用時に生理用ナプキン１が大腿部による締め付け力Ｆを受けて湾曲することで前記分割吸収要素１０、１５は起立し、経血は前記分割吸収要素１０、１５の表面１０ｃ，１５ｃのみならず裏面１０ｄ，１５ｄからも吸収され、よって吸収面積を従来よりも大きくでき横漏れを適切に防止することができる。【選択図】　　図４
2004089392.tif 000002
【特許請求の範囲】
【請求項１】
平面状のベースの表面に、液体を吸収して保持する吸収要素が設けられて縦長形状に形成された吸収性物品において、
前記ベースはクッション層を有し、前記吸収要素は、前記吸収性物品の縦方向に延びる中心線を境界として左右両側に分かれて設けられた分割吸収要素から成り、
それぞれの分割吸収要素は、前記境界に向けられた内側端部を有するとともに、前記境界から離れた位置に、前記分割吸収要素と前記クッション層とが共に圧縮された圧縮部が設けられて、この圧縮部は縦方向に向けて連続して延びまたは不連続に配列する部分を有しており、個々の分割吸収要素は、前記圧縮部を起点として前記内側端部が前記クッション層から離れる方向へ変形可能とされていることを特徴とする吸収性物品。
【請求項２】
それぞれの前記分割吸収要素は、分割吸収層とこの分割吸収層を個別に覆う液透過性の表面シートとを有している請求項１記載の吸収性物品。
【請求項３】
前記クッション層は、液体を吸収して保持する吸収層である請求項１または２記載の吸収性物品。
【請求項４】
前記圧縮部は、吸収性物品の所定の面積を囲むように形成されている請求項１ないし３のいずれかに記載の吸収性物品。
【請求項５】
それぞれの分割吸収要素には、縦方向に延びる弾性部材が設けられている請求項１ないし４のいずれかに記載の吸収性物品。
【請求項６】
それぞれの分割吸収要素は、前記内側端部と前記圧縮部との間で、前記内側端部が表面側に位置するように折り曲げられている請求項１ないし５のいずれかに記載の吸収性物品。
【請求項７】
前記クッション層には、薄肉に圧縮された薄肉部が、前記境界に沿って設けられている請求項１ないし６のいずれかに記載の吸収性物品。
【請求項８】
それぞれの分割吸収層は、横方向に延びる複数の吸収層に分割されている請求項１ないし７のいずれかに記載の吸収性物品。
【請求項９】
生理用ナプキンである請求項１ないし８のいずれかに記載の吸収性物品。
【発明の詳細な説明】
【０００１】
【発明の属する技術分野】
本発明は、生理用ナプキン、女性のおりものを吸収するパンティライナー、尿取りパッド、おむつの吸収補助パッド、さらには使い捨ておむつなどとして用いられる吸収性物品に関し、特に排泄液の吸収面積を従来よりも効果的に広げ、側方への液体の漏れを防止しやすくした吸収性物品に関する。
【０００２】
【従来の技術およびその問題点】
女性の経血を吸収するためなどに使用される吸収性物品は、液体の吸収速度が速くまた液体の吸収容量が大きく、さらに液体が側方へ漏れにくくするため、体液の排泄部にフィットできるものが好ましい。
【０００３】
例えば特開平９−３１３５２９号公報には、受液側である表面の中央部に所定幅の突堤が形成された吸収性物品が開示されている。この突堤は、吸収性物品の表面に現れている吸収シートの中央部を表面側へ盛り上がるように折り畳むことにより形成されている。この吸収性物品は、中央部において吸収シートが盛り上げるように折り畳まれその表面積が実質的に広くなっていることにより、吸収性物品の中央部での体液の吸収量を増加させ、また前記突堤を陰唇部分にフィットさせ、排泄液が直接に前記突堤の部分に与えられるようにして、排泄液の側方への横漏れを防止しようというものである。
【０００４】
しかしながら、前記吸収性物品では、その表面において吸収シートが連続して位置しているため、多量の排泄液が分泌されて吸収性物品に与えられたときに、前記排泄液は前記吸収シートを透過するよりも早く前記吸収シートに案内されて吸収性物品の周縁部に向けて流れやすい。よって、排泄液の横漏れ防止効果が充分とは言えない。
【０００５】
また、特開平９−３１３５３０号公報には、透水性の表面シートの下に設けられた吸収基板が、中央部において窪むように折り曲げられて、前記吸収基板が、左右両側部で１枚、中央部に３枚重ねとなった構造の吸収性物品が開示されている。また、前記文献には、この吸収性物品の作用効果として、排泄液は吸収基板の中央の窪み部内へ導かれ吸収基板に吸収されると記載されている。また、中央部分で吸収基板の積層枚数が多くなっているため、従来の吸収性物品に比べて吸収容量が増加し、横漏れ防止を緩和できることも開示されている。
【０００６】
しかしながら、前記吸収性物品は、折り畳まれた前記吸収基板の表面が平坦な透水性の表面シートで覆われているため、前記表面シートに与えられた排泄液が、吸収基板に吸収される前に、表面シートに沿って側方へ流れ、横漏れが生じやすいものとなっている。さらに前記吸収基板は折り畳まれた状態で、裏面側の防漏シートと前記表面シートとで単純に包まれた構造であるため、前記吸収性物品を下着の内側に装着して使用し、両側方から大腿部の圧力を受けたときに、必ずしも中央部分が身体の排泄部に密着するように変形できるものではない。その結果、排泄部に確実に密着させることが難しく、表面シートに与えられた排泄液は、側方へ漏れやすくなる。
【０００７】
次に、実願平３−３５４６２号（実開平４−１２８７２８号）のＣＤ−ＲＯＭには、左右に分割されてそれぞれが縦方向に延びる２つの吸収体部分を有する吸収性物品が開示されている。この吸収性物品は、図１９に示すように、裏面シート１０６上に設けられた吸収体１００が、２つの吸収体部分１００ａ、１００ｂに分割されて、非接合部１０２において吸収体部分１００ａ、１００ｂが互いに離れており、非接合部１０２以外の部分で両吸収体部分１００ａと１００ｂが互いに接合されている。そして、２つの吸収体部分１００ａ、１００ｂの双方の表面が、１つの表面シート１０１によって覆われている。
【０００８】
この発明は、前記吸収性物品を身体に装着した状態で、前記吸収体部分１００ａ、１００ｂの間の非接合部１０２からその下の凹部内へ経血を導くことで、経血をそれぞれの吸収体部分１００ａ、１００ｂで吸収しやすくし、表面シート１０１上での経血の広がりを防止しようというものである。
【０００９】
しかしながら、図１９における吸収性物品の構造では、身体に装着した状態で、非接合部１０２内に経血を導くのが困難であり、また吸収体部分１００ａ、１００ｂが身体の排泄部に密着しにくい。
【００１０】
図２０は、図１９に示す吸収性物品がショーツ１０３に貼着されて股間部に装着された状態を示している。この装着状態では、前記吸収性物品に対し両側縁部１０４、１０５へ大腿部からの締め付け力Ｆ，Ｆが作用し、前記締め付け力Ｆにより、吸収性物品は両側縁部１０４、１０５間の距離が縮まるように変形しようとする。この吸収性物品では、それぞれの吸収体部分が、裏面シート１０６と表面シート１０１との間で挟まれた構造であるため、それぞれの吸収体部分１００ａ、１００ｂに横方向からの締め付け力Ｆが与えられると、この力は主に吸収体部分１００ａ、１００ｂを圧縮変形させるために作用するが、吸収体部分１００ａ、１００ｂを身体の方向へ起立させるように作用しない。
【００１１】
したがって、図２０に示すように、両側から締め付け力Ｆ，Ｆによって、前記吸収体部分１００ａ、１００ｂが潰れて変形すると、非接合部１０２が塞がれてしまい、前記非接合部１０２に凹部を形成できず、非接合部１０２の内部に経血を導いて各吸収体部分１００ａ、１００ｂに吸収させるという初期の機能を発揮させるのが困難になる。また各吸収体部分１００ａ、１００ｂが身体の排泄部に密着しにくくなり、これらにより、経血の広がりを防止することが難しい。
【００１２】
本発明は上記従来の課題を解決するものであり、特に中央部での排泄液の吸収面積を従来よりも効果的に広げ、また中央部を身体の排泄部に密着させやすくして、側方への液体の漏れの不安が生じにくくした吸収性物品を提供することを目的としている。
【００１３】
【課題を解決するための手段】
本発明は、平面状のベースの表面に、液体を吸収して保持する吸収要素が設けられて縦長形状に形成された吸収性物品において、
前記ベースはクッション層を有し、前記吸収要素は、前記吸収性物品の縦方向に延びる中心線を境界として左右両側に分かれて設けられた分割吸収要素から成り、
それぞれの分割吸収要素は、前記境界に向けられた内側端部を有するとともに、前記境界から離れた位置に、前記分割吸収要素と前記クッション層とが共に圧縮された圧縮部が設けられて、この圧縮部は縦方向に向けて連続して延びまたは不連続に配列する部分を有しており、個々の分割吸収要素は、前記圧縮部を起点として前記内側端部が前記クッション層から離れる方向へ変形可能とされていることを特徴とするものである。
【００１４】
前記吸収性物品は、左右両側に設けられた分割吸収要素が、前記境界から離れた位置でクッション層と共に圧縮されて固定されているとともに、前記境界に向けられた内側端部が自由端となるように、互いに独立した構造となっている。
【００１５】
このため前記吸収性物品を身体に装着したときに、前記圧縮部が起点となって前記分割吸収要素が身体方向に起立しようとし、しかも装着時に前記クッション層が湾曲変形するために、効果的に前記分割吸収要素を身体方向に起立させることができる。したがって、前記分割吸収要素が前記身体の排泄部に密着しやくなるとともに、一対の分割吸収要素の内側端部の間に隙間ができ、その隙間内に排泄液を導いてそれぞれの分割吸収要素に確実に吸収させることができ、横漏れが生じにくくなる。
【００１６】
また、本発明の好ましい例では、それぞれの前記分割吸収要素は、分割吸収層とこの分割吸収層を個別に覆う液透過性の表面シートとを有している。
【００１７】
個々の分割吸収要素が、表面シートで個別に覆われているため、分割吸収要素のクッション層に向く表面に排泄液が伝わりやすくなり、個々の分割吸収要素で、排泄液を確実に吸収できるようになる。
【００１８】
ただし本発明での分割吸収要素は、分割吸収層が表面シートで個別に覆われているものに限定されるものではなく、両分割吸収要素が共通の表面シートで覆われているものであってもよい。
また、本発明は、前記クッション層は、液体を吸収して保持する吸収層であるものとして構成できる。
【００１９】
前記クッション層が吸収層として機能すると、それぞれの分割吸収要素の内側端部の間に入り込んだ経血がクッション層で吸収されて、吸収性物品の裏面から滲み出るのを防止しやすい。
【００２０】
本発明は、例えば前記圧縮部は、吸収性物品の所定の面積を囲むように形成されている。
【００２１】
圧縮部が所定面積を囲むパターン形状であると、圧縮部で囲まれた部分に与えられた排泄液が圧縮部で囲まれた部分を越えて周囲に拡散しにくくなる。
【００２２】
さらに本発明は、それぞれの分割吸収要素には、縦方向に延びる弾性部材が設けられているものとして構成できる。
【００２３】
縦方向に延びる弾性部材が設けられていると、吸収性物品が両側からの締め付け力だ湾曲したときに、内側端部が身体に向くように、分割吸収要素が圧縮部を起点として立ち上がりやすくなる。
【００２４】
また、本発明は、それぞれの分割吸収要素は、前記内側端部と前記圧縮部との間で、前記内側端部が表面側に位置するように折り曲げられているものとして構成される。
【００２５】
この構造では吸収性物品の中央部において、吸収層を実質的に厚いものにでき、排泄液の吸収容量を多くできる。
【００２６】
さらに本発明は、前記クッション層には、薄肉に圧縮された薄肉部が、前記境界に沿って設けられているものとして構成される。
【００２７】
この構造では、両側部に大腿部からの挟圧力を受けたときに、吸収性物品は、中央部分が身体に向くように変形しやすくなり、分割吸収要素がさらに身体の排泄部に密着しやすくなる。
【００２８】
また、本発明は、それぞれの分割吸収層は、横方向に延びる複数の吸収層に分割されているものとして構成される。
【００２９】
分割吸収層が縦方向に複数個となるように分割されていると、股間部に装着された吸収性物品が、前端部と後端部とが接近するように湾曲変形したときにも、分割吸収要素が身体の排泄部に向く方向へ変形した状態で縒れなどが生じにくくなる。
【００３０】
また、本発明の吸収性物品は、生理用ナプキンとして好適である。
本発明の吸収性物品は、左右の分割吸収要素の内側端部の間に排泄液を導いてそれぞれの分割吸収要素の表面全域で吸収することが可能であるため、横方向での液の漏れを防止しやすい。よって、特に生理用ナプキンに好適である。生理用ナプキンの場合に、それぞれの分割吸収要素で効果的に経血が吸収されるために、分割吸収要素を薄くしてもさらにはクッション層を薄くしても横漏れの防止効果が高い構造である。したがって、薄型で小型の生理用ナプキンを構成しやすい。
【００３１】
さらに、分割吸収要素で経血を吸収しやすい構造であるため、分割吸収要素内に含まれる高吸収性ポリマーやパルプなどの吸収材料の量を少なくできる。さらに横漏れ防止効果が高いために、両側にギャザーを有する防漏壁を設けなくてもよく、または防漏壁を設けたとしてもその防漏壁を小さくしたり薄いものとすることが可能である。このようにパルプや高吸収性ポリマーを減らしたり、防漏壁を小さい寸法でしかも液遮断機能がやや劣る安価な材料で形成することも可能であるため、製品コストを低減できる。
【００３２】
【発明の実施の形態】
図１は本発明の吸収性物品の第１の実施の形態として生理用ナプキン１を肌当接面側である表面側を上にして示した斜視図、図２は図１のＩＩ−ＩＩ線の断面図、図３は図２に示す断面の右側半分の拡大断面図、図４は身体に装着したときの変形状態を示す断面図である。
【００３３】
図１に示す生理用ナプキン１は、生理中の女性が下着のクロッチ部の内面に装着し、主に経血を吸収するために使用される。
【００３４】
図１に示す生理用ナプキン１の平面形状は縦長であり、ほぼ円弧形状の前縁部１ａおよび同じく円弧形状の後縁部１ｂを有している。縦方向に延びる右側縁部１ｃと左側縁部１ｄは、曲線を描く形状であり、右側縁部１ｃと左側縁部１ｄとの距離すなわち生理用ナプキン１の幅寸法は、装着者の主に股間部に当てられる前縁部１ａ側よりも、主に臀部に当てられる後縁部１ｂ側が大きく広がる形状である。
【００３５】
生理用ナプキン１を前後方向に二分する中心よりも前記前縁部１ａに片寄った位置において、右側縁部１ｃと左側縁部１ｄは、幅方向（Ｘ方向）の両側に突出し、この突出した部分にウイング部２および３が形成されている。そして、生理用ナプキン１は、縦方向に延びる中央線Ｏ−Ｏを挟んで左右両側部分が対称形状である。したがって、図３以下では前記中央線Ｏ−Ｏよりも右側部分の構造のみを説明する場合がある。
【００３６】
図２ないし図３の断面図に示すように、生理用ナプキン１の裏面側には裏面シート５が設けられている。この裏面シート５は液不透過性で且つ通気性のシートであり、微細な通気孔が形成されたポリエチレン（ＰＥ）フィルム、あるいはポリプロピレン（ＰＰ）フィルムなどである。例えば、前記のプラスチックシートにＣａＣｏ３、ＢａＳｏ４等の無機フィラーを混合させ延伸処理してフィルムに微細な通気孔を分散して形成することにより、通気性を向上させたものである。裏面シート５は、厚みが１５〜５０μｍ程度のものである。あるいは、裏面シート５が、不繊布に熱可塑性樹脂をラミネーションした材料であってもよい。
【００３７】
前記裏面シート５の平面形状は、前記生理用ナプキン１の平面形状と同じであり、裏面シート５の外周縁部によって、前記前縁部１ａ、前記後縁部１ｂ、前記右側縁部１ｃ、前記左側縁部１ｄ、および前記ウイング部２と３が形成されている。
【００３８】
前記裏面シート５の裏面では、中央部分に縦方向にストライプ状に塗工された感圧接着剤層６，６が設けられている。また前記ウイング部２と３の裏面にも感圧接着剤層７，７が塗工されている。使用前の生理用ナプキン１では、前記感圧接着剤層６，６および感圧接着剤層７，７が離型シートで覆われて保護されている。
【００３９】
前記裏面シート５の受液側である表面には、縦方向に延びる分割吸収要素１０と分割吸収要素１５とが設けられている。前記分割吸収要素１０と分割吸収要素１５は、互いに独立したものであり、図１ないし図３に示すように、中央線Ｏ−Ｏを境界として左右両側に分かれて設けられている。
【００４０】
分割吸収要素１０と分割吸収要素１５は、前記中央線Ｏ−Ｏを挟んで互いに対称の構造である。図２および図４に示すように、一方の分割吸収要素１０は、前記中央線Ｏ−Ｏに向けられる内側端部１０ａと、受液側に向けられる表面１０ｃと、裏面シート５に向けられる裏面１０ｄを有している。また他方の分割吸収要素１５も、前記中央線Ｏ−Ｏに向けられる内側端部１５ａと、受液側に向けられる表面１５ｃと、裏面シート５に向けられる裏面１５ｄを有している。
【００４１】
それぞれの分割吸収要素１０と１５は、共に縦長の分割吸収層１１と、それぞれの分割吸収層１１を個別に包むようにして覆う表面シート１２とを有して構成されている。前記表面シート１２は、前記分割吸収層１０の表面１０ｃと裏面１０ｄおよび内側端部１０ａの全ての領域において分割吸収層１１を覆っており、同様に、前記表面シート１２は、前記分割吸収層１５の表面１５ｃと裏面１５ｄおよび内側端部１５ａの全ての領域において分割吸収層１１を覆っている。
【００４２】
分割吸収要素１０と１５のそれぞれでは、前記表面シート１２が、前記分割吸収層１１に対して液の吸収を妨げないようにランダムに塗工されたホットメルト型接着剤で接着されている。
【００４３】
このように互いに独立して形成された分割吸収要素１０の内側端部１０ａと、分割吸収要素１５の内側端部１５ａは、中央線Ｏ−Ｏにて互いに対向している。図２に示すように生理用ナプキン１が変形していない自由状態のときに、前記内側端部１０ａと内側端部１５ａは、境界部１９にて軽く接触している。あるいは前記境界部１９において、内側端部１０ａと内側端部１５ａとの間に隙間が形成されていてもよい。そして、前記境界部１９では、内側端部１０ａと内側端部１５ａとの間に、肌当接面側から裏面シート５の方向へ液を導くことのできる溝部が形成されている。
【００４４】
図２に示すように、前記裏面シート５の上で且つ分割吸収要素１０および１５の下には、クッション層２０が設けられている。図２の実施の形態では前記クッション層２０が補助吸収要素として機能しており、一定の厚みの補助吸収層２１と、透液性シート２２とで構成されている。図３に示すように、前記透液性シート２２は、前記補助吸収層２１の表面２１ａと側面２１ｂとを覆い、前記透液性シート２２の端部２２ａは前記裏面シート５上に例えばホットメルト型接着剤で接着され固定されている。また前記補助吸収層２１の裏面も、前記裏面シート５上に例えばホットメルト型接着剤で接着され固定されている。
【００４５】
この実施の形態では、前記裏面シート５と、その上に重ねられた前記クッション層２０とでベースが構成されており、前記分割吸収要素１０と分割吸収要素１５は、前記ベース上に設置された構造である。
【００４６】
前記分割吸収要素１０，１５と前記クッション層２０は、圧縮部１６によって互いに固定されている。図１に示すように、この圧縮部１６は、生理用ナプキン１の表面の所定面積の範囲を囲むように形成されている。すなわち、前記圧縮部１６は、前方圧縮部１６ａと後方圧縮部１６ｂおよび側方圧縮部１６ｃ，１６ｄが連続するパターンとなるように形成されており、圧縮部１６に囲まれた領域が、縦長の中央吸収領域１８となっている。前方圧縮部１６ａと後方圧縮部１６ｂは、ほぼ円弧を描くパターンであり、側方圧縮部１６ｃおよび１６ｄが、前記側縁部１ｃおよび１ｄとほぼ相似形状の凹曲線を描くパターンである。
【００４７】
前記中央吸収領域１８の左右両側において、分割吸収要素１０または分割吸収要素１５とクッション層２０とが、境界部１９から左右に同じ距離離れた位置にある前記側方圧縮部１６ｃと側方圧縮部１６で互いに固定されている。また前記中央吸収領域１８では、分割吸収要素１０の内側端部１０ａと、分割吸収要素１５の内側端部１５ａが、共に自由端であり、また、前記圧縮部１６で囲まれた中央吸収領域１８で、それぞれの分割吸収要素１０および１５は、クッション層２０に接着されることなく自由状態である。
【００４８】
図１および図２に示すように、前記分割吸収要素１０，１５を構成している前記分割吸収層１１，１１およびこれを包む表面シート１２，１２は、前記圧縮部１６を超えて外方の領域まで延びている。
【００４９】
図２に示すように、分割吸収要素１０を構成する分割吸収層１１の右側端部１１ｃは、前記側方圧縮部１６ｃと生理用ナプキン１の右側縁部１ｃとの中間位置まで延びており、また前記分割吸収層１１を包む表面シート１２の端部１２ａ，１２ｂは前記右側縁部１ｃまで延びている。同様に分割吸収要素１５を構成している分割吸収層１１の左側端部１１ｄも、前記側方圧縮部１６ｄと左側縁部１ｄとの中間位置まで延びており、またこれを包む表面シート１２の端部は前記左側縁部１ｄまで延びている。
【００５０】
図１に示すように、各分割吸収要素１０と１５を構成している分割吸収層１１，１１の前端部１１ａ，１１ｂは、前方圧縮部１６ａと前縁部１ａとの中間にまで延び、分割吸収層１１，１１の後端部１１ｂ，１１ｂは、後方圧縮部１６ｂと後縁部１ｂとの中間まで延びている。そして、分割吸収要素１０、１５のそれぞれの表面シート１２，１２の前端部と後端部は、生理用ナプキン１の前縁部１ａおよび後縁部１ｂに一致している。
【００５１】
前記ベースを構成している前記クッション層２０も、前記圧縮部１６を超えて、前記圧縮部１６の外周の領域まで延びている。すなわち、クッション層２０を構成している補助吸収層２１の周縁部は、前記分割吸収層１１，１１の端部とほぼ同じ位置まで延び、あるいは分割吸収層１１，１１の端部よりもやや中心側である内側の位置まで延びている。そして、前記透液性シート２２は、補助吸収層２１よりもやや広面積を有し、透液性シート２２の周縁部は、前記補助吸収層２１の周縁部を超えた位置で、前記裏面シート５上に接着されている。
【００５２】
この実施の形態では、前記分割吸収要素１０，１５とクッション層２０とが表面側から加熱され且つ加圧されてエンボス加工されており、前記圧縮部１６では、分割吸収要素１０、１５を形成している分割吸収層１１，１１と、クッション層２０を形成している補助吸収層２１とが、裏面シート５に向けて圧縮されて、表面側から見たときに凹溝となっている。
【００５３】
図２に示すように、分割吸収要素１０の一部はエンボス形状の前記圧縮部１６を超えて右側へはみ出している。そして、この分割吸収要素１０を構成している分割吸収層１１の一部と補助吸収層２１の一部とで、外側吸収部２３が形成されており、同様に左側にも外側吸収部２４が形成されている。また、前方圧縮部１６ａと後方圧縮部１６ｂよりも外周側においても、前記分割吸収層１１と補助吸収層２１の一部が延びて、外側吸収部が形成されている。
【００５４】
図１ないし図３に示すように、前記外側吸収部２３、２４の外側端部２３ａおよび２４ａよりも中心側の位置から、生理用ナプキン１の右側縁部１ｃと左側縁部１ｄにかけて、防漏シート２５および２６が設けられている。前記防漏シート２５，２６の内側端部２５ａ，２６ａは、前記分割吸収層１１，１１と重なる位置にあり、防漏シート２５，２６はこの位置から前記ウイング部２，３の外縁部に至る範囲まで延びて、ホットメルト型接着剤で固定されている。
【００５５】
なお、前記防漏シート２５，２６が、内側端部２５ａ，２６ａから所定の幅の範囲で自由状態であって、前記内側端部２５ａ，２６ａに、縦方向に延びる弾性部材が取り付けられて、前記防漏シート２５，２６の内側端部２５ａ，２６ａが、前記分割吸収要素１０，１５から離れるように起立する構造として、防漏効果を高めてもよい。
【００５６】
前記圧縮部１６の形成はエンボス加工により行われる。具体的には、クッション層２０の上に分割吸収要素１０と１５が重ねられた状態で、クッション層２０の裏面に、表面がフラットなロールが当てられ、前記圧縮部１６のパターンに沿って凸部に設けられた加熱ロールが分割吸収要素１０と１５の表面側に当てられ、生理用ナプキン１が両ロール間で加熱され且つ加圧されて、圧縮された凹溝形状の圧縮部１６が形成される。
【００５７】
このとき、前記生理用ナプキン１を構成する分割吸収要素１０、１５などの材質や厚みに応じて、前記ロールの温度や挟圧力などを調整することで、前記圧縮部１６の剛性を調整できる。また、前記ロール表面に形成された凸部のパターンの幅寸法などを変更することでも剛性を調整することができる。前記圧縮部１６はその全長にわたって凹溝形状であるが、凹溝の底部では、ロールの凸部のパターンに応じて、分割吸収要素１０、１５とクッション層２０とが薄く加圧された加圧痕が前記凹溝に沿って間欠的に形成されている。なお、この圧縮部１６は、その底部が圧縮部１６の全長にわたって連続する加圧痕とされたものであってもよい。
【００５８】
前記構造の生理用ナプキン１を、前記圧縮部１６の一部がほぼ中央に位置するように切断して、縦方向（Ｙ方向）が３８ｍｍ、横方向（Ｘ方向）が２５ｍｍの試験片を作り、ガーレー剛性測定装置を使用して測定したときに、その剛性値は４．９〜２９．４ｍＮであることが好ましい。前記剛性値が４．９ｍＮよりも小さいと、生理用ナプキン１を下着に装着した使用状態において、大腿部による締め付け力が働いたときに、前記圧縮部１６が屈曲線として適切に作用せず、前記分割吸収要素１０，１５が身体に向けて立ち上がりにくくなる。また前記剛性値が２９．４ｍＮより大きいと、生理用ナプキン１が身体に沿って湾曲するときに抵抗が強すぎ、生理用ナプキン１の吸収要素と身体との間に隙間が空きやすくなる。
【００５９】
前記各分割吸収要素１０，１５において、内側端部１０ａ，１５ａと、前記圧縮部１６との間の部分（中央吸収領域１８の部分）での前記分割吸収層１１の厚みは、前記圧縮部１６よりも外側において前記外側吸収部２３，２４などを構成している部分での前記分割吸収層１１の厚みよりも大きいことが好ましい。このようにすると、前記中央吸収領域１８において、各分割吸収要素１０，１５が、前方へ盛り上がるようになり、中央吸収領域１８を身体の排泄部に確実に密着させやすくなる。よって、使用者は前記生理用ナプキン１が身体に密着した感触を得ることができ、また排泄液が各分割吸収要素１０、１５で吸収されやすく、横漏れしないという安心感を抱かせることができる。
【００６０】
次に、前記生理用ナプキン１を構成する素材の例を説明する。
前記表面シート１２と透液性シート２２は、共に液透過性で且つ液透過速度が速いものが好ましい。
【００６１】
例えば、前記表面シート１２と透液性シート２２は、ポリエチレン（ＰＥ）などの樹脂フィルムに多数の液透過孔を開孔させたものを使用できる。あるいは、芯部がポリプロピレン（ＰＰ）で鞘部がＰＥ、または芯部がポリエチレンテレフタレート（ＰＥＴ）で鞘部がＰＥの芯鞘型の複合合成繊維などで形成された繊維ウエッブを、熱でボンディングして、目付けが１５〜５０ｇ／ｍ２の不織布を形成し、これにＰＥなどの樹脂フィルムをラミネートしたラミネート材を用い、このラミネート材に、前記液透過孔を形成したものなども使用できる。
【００６２】
表面シート１２と透液性シート２２に形成される前記個々の液透過孔の開孔径は、例えば、１．０〜４．０ｍｍの範囲で、開孔面積率は２５〜５０％の範囲であることが好ましい。また前記表面シート１２および透液性シート２２に、界面活性剤などの親水性付与剤を塗工しまたは練り込んで構成することにより、表面張力を低下させて排泄液の濡れ性を高め、排泄液の瞬間的な獲得能力を上げることができる。
【００６３】
また、表面シート１２のうちの、少なくとも分割吸収要素１０，１５の表面１０ｃ，１５ｃに位置する部分は、肌に直接に接触する部分であるから、この部分は、表面シート１２の裏面１０ｄ，１５ｄに位置する部分や、液透過性シート２２に比べて肌への刺激性が少ない材質または構造であることが好ましい。その構造としては、前記表面シート１２の表面１０ｃ，１５ｃに現れる部分の液透過孔の間隔を前記他の部分よりも狭くして、樹脂フィルム等が肌へ当たる面積を低減させたり、またはスリップ剤やＳｉ等の材料を練り込んだ樹脂フィルムを用いて、表面の微細な凹凸により肌への接触面積を低下することにより実現できる。
【００６４】
あるいは、前記表面シート１２や透液性シート２２を、親水性繊維を含む不織布で形成してもよい。例えば、ＰＥ，ＰＰ，ＰＥＴなどの合成繊維で繊度が１．１から４．４ｄｔｅｘの繊維に、レーヨンやパルプまたはコットンのような親水性繊維が混合されたスパンボンド不織布などで、目付けを１５〜８０ｇ／ｍ２に調整したものを使用できる。さらに前記不織布に液透過孔を形成したものであってもよい。
【００６５】
次に分割吸収層１１は、優れた吸収特性と湿潤時においても弾性を維持できる材料で形成されることが好ましい。例えば、連続気泡を持つ発泡化材料で、再生セルロースを発泡化させたセルローススポンジや、ウレタン樹脂を発泡化処理したウレタンフォームなどで形成できる。さらには前記発泡化材料を、０．３〜３．０ｍｍ程度にスライスしたものや、これらの材料を粉砕してチップ状にしたものを、ティッシュなどの液体透過性材料で被覆したものであってもよい。またウレタンフォームのように液体の濡れ性が低い発泡化材料の場合には、親水油剤を含浸させることで液体の濡れ性を高めることができる。
【００６６】
あるいは、前記分割吸収層１１をエアレイド不織布（エアレイドパルプ）で形成できる。このエアレイド不織布は、目付けが５０〜２００ｇ／ｍ２の範囲でパルプ繊維を積層させ、その中に不織布全体の質量に対して５〜２０質量％のアクリル樹脂などの熱溶融バインダーを分散させて、熱により前記パルプ繊維を結合させたものである。
【００６７】
また前記エアレイド不織布に、繊度が１．６〜４．４ｄｔｅｘで、繊維長が１〜１０ｍｍのポリエステル（ＰＥＴ）などの合成繊維を５〜３０質量％含ませると、高い湿潤強度が得られ、液体を吸収した状態でも嵩を維持しやすくなる。さらに前記エアレイド不織布に、高分子吸収性ポリマー（ＳＡＰ）を５〜５０ｇ／ｍ２の範囲で含ませて、液体の吸収容量を大きくしてもよい。
【００６８】
また前記分割吸収層１１が、目付けが１５〜３０ｇ／ｍ２のティッシュで形成され、その中に１０〜７０ｇ／ｍ２の範囲でＳＡＰが含まれたものであってもよい。あるいは、目付けが５０〜３００ｇ／ｍ２程度のパルプ繊維のウエッブ中に、１０〜７０ｇ／ｍ２のＳＡＰを含ませ、これをティッシュで包んで加圧し、密度が０．０５〜０．１５ｇ／ｃｍ３の範囲で調整したものであってもよい。またこれに１．６〜４．４ｄｔｅｘで、繊維長が１〜１０ｍｍのポリエステル（ＰＥＴ）などの合成繊維を５〜３０質量％含ませて、湿潤強度を高くしてもよい。
【００６９】
なおクッション層２０を構成する補助吸収層２１には、前記分割吸収層１１と同じ材質のものを使用でき、あるいはティッシュの積層体や、ティッシュでＳＡＰをサンドイッチしたＳＡＰシートなど従来から吸収性物品として使用されていた比較的薄型の吸収層を使用することができる。
【００７０】
また、クッション層２０は、吸収機能を有しない繊維構造物など、あるいはこの繊維構造物がシートで包まれたものであってもよい。前記繊維構造物は、例えば、疎水性の合成繊維で形成されたエアースルー不織布、または液体の濡れ性の悪い発泡材料などである。
【００７１】
前記防漏シート２５，２６は実質的に液不透過性であり、例えば、スパンボンド不織布、メルトブローン不織布、あるいは、前記スパンボンド不織布とメルトブローン不織布との積層体などで形成できる。
【００７２】
図４は、前記生理用ナプキン１が、ショーツのクロッチ部２７の内面に装着された状態を部分断面図で示している。
【００７３】
生理用ナプキン１を装着するときには、裏面シート５の外面に設けられた感圧接着剤層６でクロッチ部２７の内面に固定する。さらに、ウイング部２，３をクロッチ部２７の両側部にて折り曲げてクロッチ部２７の外面に巻き付け、ウイング部２，３の外面に設けられた感圧接着剤層７，７でクロッチ部２１の外面に固定する。
【００７４】
前記ショーツを着用して生理用ナプキン１を股間部に装着すると、クロッチ部２７および生理用ナプキン１に対して、両側部から大腿部による締め付け力Ｆ，Ｆが作用する。この締め付け力Ｆ，Ｆにより、生理用ナプキン１は両側縁部１ｃと１ｄ（図１を参照）との距離が縮まるように変形する。このとき、凹溝となっている前記圧縮部１６において生理用ナプキン１が曲がりやすく、前記締め付け力Ｆ，Ｆが作用したときに、側部圧縮部１６ｃと側部圧縮部１６ｄの部分で生理用ナプキンに曲がりが生じて、前記側部圧縮部１６ｃと側部圧縮部１６ｄとが互いに接近するように形成しやすくなる。
【００７５】
その結果、側部圧縮部１６ｃと側部圧縮部１６ｄとで挟まれた領域である中央吸収領域１８が、身体の排泄部に向けて突状に変形する。前記境界部１９を挟んで対向する各分割吸収要素１０，１５の内側端部１０ａ，１５ａは、前記裏面シート５側に固定されていない自由端であるため、前記分割吸収要素１０，１５は側部圧縮部１６ｃと側部圧縮部１６ｄを起点として身体に向けて起立し、分割吸収要素１０，１５が身体の排泄部である女性の膣に密着しやすくなる。
【００７６】
また凹溝の圧縮部１６は、前記分割吸収要素１０、１５とクッション層２０との重なり部に形成されており、クッション層２０は側部圧縮部１６ｃ、１６ｄの部分で陥没しているとともに、それよりもすぐに内側の部分で嵩が回復した形状となっている。したがって、クッション層２０のうちの側部圧縮部１６ｃ、１６ｄよりもすぐ内側に位置する嵩高の部分は、分割吸収要素１０、１５を上方へ向けて反発させるように作用する。
【００７７】
また、前記締め付け力Ｆ，Ｆが作用し、側部圧縮部１６ｃと側部圧縮部１６ｄとが互いに接近するように生理用ナプキン１が変形させられると、側部圧縮部１６ｃと側部圧縮部１６ｄとの間に位置するクッション層２０が両側から圧縮されてその嵩がさらに回復するため、クッション層２０から各分割吸収要素１０、１５に与えられる反発力はさらに大きくなる。以上から、生理用ナプキン１を身体に装着した状態で、各分割吸収要素１０、１５は、側部圧縮部１６ｃ、１６ｄを起点として内側端部１０ａ、１５ａが、クッション層２０から離れる方向へ立ち上がるように変形しやすくなる。
【００７８】
また図１ないし図４に示す実施形態では、前記表面シート１２は、それぞれの分割吸収要素１０，１６において分割吸収層１１を個別に覆うものとなっており、図１９に示す従来の吸収性物品のように、一つの表面シートによって２つの吸収層表面が覆われているものではない。したがって、図４に示すように、個々の分割吸収要素１０、１５が互いに拘束されることなく、個別に立ち上がり変形しやすくなる。
【００７９】
このように、生理用ナプキン１を身体に装着し、前記締め付け力Ｆ，Ｆが与えられた状態で、個々の前記分割吸収要素１０、１５は、互いに独立して、内側端部１０ａ，１５ａがクッション層２０から離れるように立ち上がり変形しやすい。そのため、図２０に示す従来例のように、左右の吸収体部分が互いに密着して変形する現象が生じ難く、図４に示すように分割吸収要素１０の内側端部１０ａと、分割吸収要素１５の内側端部１５ａとの間に排泄液が侵入する隙間が形成されやすくなる。
【００８０】
性器から排泄された経血の一部は、膣に密着している分割吸収要素１０，１５の表面１０ｃ，１５ｄにおいて表面シート１２に与えられ、分割吸収層１１，１１の毛細管作用により、前記経血が表面シート１２を透過して分割吸収層１１，１１に吸収される。
【００８１】
また、前記のように、互いに独立している分割吸収要素１０と分割吸収要素１５とは、前記境界部１９において、内側端部１０ａと内側端部１５ａとの間に隙間が形成されやすい。したがって、前記経血の一部は、前記境界部１９から前記内側端部１０ａと内側端部１５ａとの間に入ることができ、この経血の一部は表面シート１２，１２を伝わって、分割吸収要素１０，１５の裏面１０ｄ，１５ｄに導かれ、この裏面１０ｄ，１５ｄにおいて分割吸収層１１，１１の毛細管作用により、表面シート１２，１２を透過して前記分割吸収層１１，１１に吸収される。
【００８２】
このように、個々の分割吸収要素１０，１５では、表面１０ｃ，１５ｄ、内側端部１０ａ，１５ａおよび裏面１０ｄ，１５ｄの全面において、個々の分割吸収層１１，１１が個別に表面シート１２で覆われているため、分割吸収要素１０，１５の吸収機能を発揮する部分の表面積を実質的に拡大できる。よって液の吸収速度を高くでき、側方への液の伝達を防止できる。
【００８３】
さらに、前記境界部１９に与えられ、しかも分割吸収要素１０，１５で吸収できなかった経血は、その下に位置するクッション層２０に与えられ、このクッション層２０において拡散されながら吸収されていく。よって裏面シート５から裏面側への経血の滲み出しを防止できる。
【００８４】
また、前記クッション層２０と身体間には距離があるため、前記クッション層２０が肌に直接、当たることを回避でき、クッション層２０で吸収された経血が身体側へ戻るのを防止できる。
【００８５】
また、前記生理用ナプキン１では、中央吸収領域１８内で左右前後方向へ経血が拡散したときに、この経血は、密度の高い前記圧縮部１６で止められ、圧縮部１６を越えて外周部分へ経血が移行するのを防止できる。また万一圧縮部１６を越えて周囲に経血が拡散したときでも、圧縮部１６の外側に位置する前記外側吸収部２３，２４の部分で経血を吸収でき、横漏れが発生するのを防止できる。
【００８６】
さらに、図１ないし図４に示す実施形態では、前記圧縮部１６の外側に縦方向に延びる防漏シート２５，２６が設けられているため、圧縮部１６を越えて前記外側吸収部２３，２４に経血が与えられ、仮に経血が前記外側吸収部２３，２４よりも外側に漏れ出したときでも、前記経血を前記防漏シート２５，２６の内側端部２５ａ，２６ａで堰き止めることができる。
【００８７】
また、図１のように前記分割吸収要素１０，１５が所定面積の範囲で前記圧縮部１６によって囲まれていることで、圧縮部１６で囲まれた中央吸収領域１８内で経血を集中して吸収することができ、生理用ナプキン１の前後左右の広い領域に経血が拡散するのを防止しやすい。
【００８８】
以下、各寸法の好ましい範囲を説明する。以下の寸法は、生理用ナプキン１を自由な状態に展開させ、何ら外力を与えていないときの値である。
【００８９】
前記生理用ナプキン１の縦方向の全長寸法は１８０〜３５０ｍｍであり、右側縁部１ｃと左側縁部１ｄとの距離の最も短い寸法を幅寸法としたときに、この幅寸法は６０〜１１０ｍｍである。
【００９０】
図２において、前記分割吸収要素１０，１５の内側端部１０ａ，１５ａ間の距離Ｗ１は０〜２０ｍｍであることが好ましい。前記距離Ｗ１が０ｍｍよりも小さいと、すなわち前記分割吸収要素１０，１５の内側端部１０ａ，１５ａが互いに上下方向に重なり合うと、下側に位置するいずれか一方の分割吸収要素が、図４の状態のときに起立しにくくなる。前記距離Ｗ１が２０ｍｍよりも大きいと、前記分割吸収要素１０，１５と陰唇とが接触しにくくなり、前記分割吸収要素１０，１５で適切に経血を吸収できない。
【００９１】
次に図２に示すように、側部圧縮部１６ｃと側部圧縮部１６ｄとの間の最小距離Ｗ２は、２０〜６０ｍｍであることが好ましい。前記距離Ｗ２が２０ｍｍよりも小さいと、各分割吸収要素１０，１５の内側端部１０ａ、１５ａから前記側部圧縮部１６ｃ，１６ｄまでの幅寸法が、１０ｍｍよりも短くなり、前記分割吸収要素１０，１５の表面１０ｃ，１５ｃの面積が狭くなりすぎて、膣から排泄された経血を中央吸収領域１８のみで吸収できず、周囲に拡散しやすくなる。また図４の使用状態において、前記分割吸収要素１０，１５が高く起立でき、前記分割吸収要素１０，１５と膣との密着性も低下する。
【００９２】
また前記距離Ｗ２が６０ｍｍよりも大きいと、前記距離Ｗ２が股間の幅を超えやすくなり、前記生理用ナプキン１を装着の際に、前記生理用ナプキン１が歪みやすく、前記圧縮部１６が屈曲線として適切に機能しなくなり、前記分割吸収要素１０，１５が図４の使用状態において、適切に起立しにくくなる。
【００９３】
また、図１に示す前方圧縮部１６ｃと後方圧縮部１６ｄとの最大距離Ｗ４は、生理用ナプキン１の縦方向の全長の１／２から１／８の範囲が好ましい。
【００９４】
図５は、本発明の第２の実施の形態の生理用ナプキン１Ａを示すもので、図１に示す生理用ナプキン１の変形例である。なお図５は図２と同様の断面図である。なお図５の実施の形態において図２と同じ符号がつけられている部分は、前記第１の実施の形態と同じ部分であるため、その説明を省略する。
【００９５】
図５に示す生理用ナプキン１Ａでは、前記裏面シート５の裏面側から表面側に向けて凸状に曲げられ、且つクッション層２０の補助吸収層２１が圧縮されて、クッション層２０に薄肉部２８が形成されている。前記薄肉部２８は前記中央線Ｏ−Ｏに沿って生理用ナプキン１Ａの縦方向に向けて形成されている。
【００９６】
前記薄肉部２８は、前記中央線Ｏ−Ｏに沿って少なくとも前記クッション層２０が設けられている全域に形成されることが好ましい。前記薄肉部２８の形成は、中央線Ｏ−Ｏに沿ってクッション層２０にエンボス加工を施すことで形成できる。また、前記クッション層２０に薄肉部２８を形成する代りに、裏面シート５に、前記中央線Ｏ−Ｏに沿う折り癖を設けてもよい。
【００９７】
前記薄肉部２８が設けられていると、股間部に装着したときに、前記裏面シート５およびその上に位置するクッション層２０が身体に向けて突状に変形しやすくなる。その結果、分割吸収要素１０および１５が身体に密着しやすくなり、また分割吸収要素１０、１５が身体に向けて立ち上がるように変形しやすくなる。
【００９８】
図６は本発明の第３の実施の形態の生理用ナプキン１Ｂを示す半断面図である。
【００９９】
この生理用ナプキン１Ｂでは、前記クッション層２０が前記圧縮部１６を超えてそれよりも外側に延びているが、分割吸収要素１０を構成する分割吸収層１１は圧縮部１６よりも内側にのみ設けられている。そして、前記圧縮部１６では、分割吸収層１１を構成する表面シート１２とクッション層２０とにエンボス加工が施されて、圧縮部１６が形成されている。
【０１００】
この実施の形態においても、前記締め付け力Ｆ，Ｆを受けたときに、側部圧縮部１６の内側に位置しているクッション層２０からの反発力がそれぞれの分割吸収要素１０、１５に作用し、それぞれの分割吸収要素１０、１５が圧縮部１６を起点として内側端部１０ａ、１５ａがクッション層２０から離れるように立ち上がり変形しやすくなる。
【０１０１】
次に図７は、本発明の第４の実施の形態の生理用ナプキン１Ｃを示すものであり、平面図で示されている。図８は図７に示す一点鎖線の部分から前記生理用ナプキン１Ｃを切断し、切断された生理用ナプキン１ＣをＸＩＩＩ方向から見た半断面図である。なお図１ないし図４と同じ符号がつけられている部分は同じものを示しているので詳細な説明を省略する。
【０１０２】
図７に示す実施形態では、図１に示す生理用ナプキン１と圧縮部の形成位置およびパターン形状が異なっている。図７に示す生理用ナプキン１Ｃでは、境界部１９の両側に分割吸収要素１０，１５が設けられている。そして、境界部１９の左右両側（図示Ｘ方向）に長手方向（図示Ｙ方向）に延びる二本の圧縮部３０が形成されており、前記圧縮部３０の部分で、分割吸収要素１０、１５とクッション層２０とが固定されている。図７では図２のように前記圧縮部３０で囲まれた領域が形成されておらず、左右両側に位置する圧縮部３０と圧縮部３０とで挟まれた領域が中央吸収領域となっている。
【０１０３】
通常の生理用ナプキン１Ｃは、縦方向（Ｙ方向）の長さ寸法よりも幅方向（Ｘ方向）の幅寸法の方が小さいため、経血は、前縁部１ａや後縁部１ｂ側よりも、側縁部１ｃと１ｄ側から横漏れしやすい。したがって、図７のように少なくとも左右両側のみに縦方向に延びる圧縮部３０を設ければ、横方向へ拡散しようとする経血が側縁部１ｃと１ｄに至るのを防止できる。
【０１０４】
図８の断面図に示すように、この生理用ナプキン１Ｃは、前記分割吸収層１１が前記圧縮部３０よりもさらに外側に延びており、圧縮部３０よりも外側に外側吸収部２３が形成されている。
【０１０５】
前記分割吸収要素１０，１５の表面シート１２，１２は、分割吸収層１１，１１よりもさらに外側に延びて、その縁部は、生理用ナプキン１Ｃの前縁部１ａ、後縁部１ｂ、両側縁部１ｃ，１ｄと同じ位置まで延びている。そして、分割吸収層１１，１１よりも外周側では、表面シート１２が２枚重ねられた状態で、裏面シート５の上面にホットメルト型接着剤で接着されている。
【０１０６】
前記圧縮部３０は、図７において実線で示すように、生理用ナプキン１Ｃの長手方向（図示Ｙ方向）に直線状に延びるパターン形状であってもよいし、図７において点線で示すように、前記圧縮部３１が湾曲するパターンで形成されていてもよい。図７に示す点線の圧縮部３１は、例えばウイング部２，３付近で圧縮部３１間の間隔が最大限に膨らむ弓形である。ただしこれとは逆に、ウイング部２，３付近で、左右の圧縮部３１間の間隔が最短となる湾曲形状であってもよい。
【０１０７】
次に図９は、本発明の第５の実施の形態の生理用ナプキン１Ｄを示すものであり、平面図で示されている。また図１０は図９に示す一点鎖線の部分から前記生理用ナプキン１Ｄを切断し、切断された生理用ナプキン１ＤをＸ方向から見た半断面図である。なお図１ないし図３と同じ符号がつけられている部分は同じものを示しているので詳細な説明を省略する。
【０１０８】
図９に示す実施形態では、圧縮部３２が、複数のドット状の圧着点３２ａの集合体で構成されている。
【０１０９】
図９に示す実施形態では、前記ドット状の圧着点３２ａが、境界部１９の左右両側（図示Ｘ方向）に所定距離離れた位置において、それぞれ長手方向（図示Ｙ方向）に列を成すように複数点設けられ、また列は左右両側にそれぞれ２列づつ形成されている。この列は左右両側にそれぞれ一列のみであってもよいし、また２列より多くてもよい。また各列に設けられた圧着点３２ａを結ぶと、各列は長手方向に直線を形作っているが、これが湾曲を形作るように圧着点３２ａの配列を変えてもよい。そして、分割吸収要素１０，１５とクッション層２０は、前記圧着点３２ａにおいて固定されているとともに、前記圧着点３２ａは表面裏面シート５に向けて窪む凹状となっている。
【０１１０】
また図９に示す実施形態では、前記圧着点３２ａが、前記境界部１９の左右両側にのみ形成されているが、前記分割吸収要素１０，１５が圧縮部３２によって周囲を囲まれ、この囲まれた部分が中央吸収領域となっていてもよい。
【０１１１】
図１０の断面図で示すように、前記分割吸収要素１０を構成する分割吸収層１１および表面シート１２が圧着点３２ａの位置で、クッション層２０と固定されている。よって図４で説明したのと同様に、前記生理用ナプキン１Ｄを下着に装着した使用状態において、前記分割吸収要素１０は前記圧着点３２ａを起点として内側端部１０ａがクッション層２０から離れるように起立しやすくなる。
【０１１２】
図１０に示すように、前記分割吸収要素１０を構成する分割吸収層１１は前記圧着点３２ａよりもさらに外側に広がる大きさで形成されており、前記圧着点３２ａよりも外側にはみ出した分割吸収層１１及び表面シート１２で、外側吸収部２３が形成されている。前記表面シート１２は、さらに前記外側吸収部２３よりも外側に延びており、前記表面シート１２の周縁部は、生理用ナプキンの外形と一致する位置まで延びて、表面シート１２が裏面シート５にホットメルト型接着剤で接着され固定されている。
【０１１３】
図９に示すように、固定領域３２をドット状の圧着点３２ａで形成すると、図１０に示すように、前記圧着点３２ａと圧着点３２ａとの間の領域も吸収要素の一部として機能するため、表面シート１２を伝わって圧着点３２ａが形成されている領域に経血が至ったときでも、前記経血を圧着点３２ａと圧着点３２ａとの間で吸収でき、よって経血の横漏れを防止しやすい。
【０１１４】
次に図１１は、本発明の第６の実施形態の生理用ナプキン１Ｅを示すものであり、図３と同じ断面図で示されている。
【０１１５】
図１１では、前記分割吸収要素１０，１５の内側端部１０ａ，１５ａ内に縦方向に延びる弾性部材３３が挟まれて固定されている。
【０１１６】
前記弾性部材３３は、例えば天然ゴムや、ポリウレタン樹脂などの合成ゴムであり、糸状やシート状の形態で使用される。具体的には、２３３〜９３３ｄｔｅｘ程度のポリウレタン弾性糸を１．０５〜１．３５倍程度に伸ばしたものを、プラスチックフィルムや不織布等で包んだものが使用される。
【０１１７】
前記弾性部材３３は、前記分割吸収要素１０の縦方向の全長に渡って延びている。そして生理用ナプキン１の前端部１ａと後端部１ｂにおいて、前記弾性部材３３が設けられている前記分割吸収要素１０，１５の内側端部１０ａ，１５ａが、クッション層２０の表面に倒されて接着固定されている。
【０１１８】
前記弾性部材３３は、前記ポリウレタン弾性糸が１．０５倍から１．３５倍程度伸ばされた状態で、前記分割吸収要素１０，１５を構成する表面シート１２に接着される。この弾性部材３３の弾性収縮力により、生理用ナプキン１Ｅは、前縁部１ａと後縁部１ｂとが互いに接近するように、表面側が凹状に湾曲させられ、その結果、前記分割吸収要素１０，１５の内側端部１０ａ，１５ａは、クッション層２０の表面から離れるように立ち上がりやすくなる。
【０１１９】
このように弾性部材３３を設けると、生理用ナプキン１Ｅを下着に装着した使用状態のときに、分割吸収要素１０，１５の起立力が大腿部による締め付け力Ｆ，Ｆのみに委ねられるのではなく、前記弾性部材３３の弾性収縮力によっても前記分割吸収要素１０，１５が起立しやすくなるため、分割吸収要素１０，１５を膣口に確実に密着させやすくなる。
【０１２０】
図１２は、本発明の第７の実施形態の生理用ナプキン１Ｆを示すものであり、図３と同じ断面図で示されている。
【０１２１】
図１２に示す実施形態では、前記分割吸収要素１０，１５の内側端部１０ａ，１５ａが、境界部１９から離れる側へ折り返されている。そして前記分割吸収要素１０，１５の内側端部１０ａ，１５ａ内に縦方向に延びる弾性部材３３が挟まれて固定されている。
【０１２２】
前記弾性部材３３は、前記分割吸収要素１０，１５の縦方向の全長に渡って延びており、前記生理用ナプキン１Ｆの前端部１ａと後端部１ｂにおいて、前記弾性部材３３が設けられている内側端部１０ａ，１５ａが境界部１９から離れる側へ折り畳まれてクッション層２０の上に接着固定されている。
【０１２３】
図１１と同様に、前記弾性部材３３は１．０５倍から１．３５倍程度伸ばされた状態で、前記分割吸収要素１０，１５を構成する表面シート１２に接着されている。この弾性部材３３の弾性収縮力により、生理用ナプキン１は、前縁部１ａと後縁部１ｂとが互いに接近するように、表面側が凹状に湾曲させられ、その結果、図１３に示すように、前記分割吸収要素１０，１５の内側端部１０ａ，１５ａが境界部１９から離れ、分割吸収要素１０，１５がＬ字形状で立ち上がりやすくなる。よって、分割吸収要素１０，１５が膣口に密着しやすくなる。
【０１２４】
また、境界部１９において、分割吸収要素１０と分割吸収要素１５との間に大きな隙間が形成され、経血はこの間を通過してクッション層２０に伝達されやすくなり、クッション層２０で多くの経血を吸収させることができる。しかも、クッション層２０は肌から離れているために、クッション層２０で吸収された経血が肌側に戻りにくくなる。
【０１２５】
図１４は本発明の第８の実施形態の生理用ナプキン１Ｇを示すものであり、図１と同じ斜視図で示されている。
【０１２６】
図１４に示す実施の形態では、前記分割吸収要素１０，１５内に多数の吸収層３４（図１４では一部の前記吸収層３４のみが示されている）が、幅方向（図示Ｘ方向）に延びるように設けられて、この吸収層３４が縦方向に向けて並べられている。隣り合う吸収層３４どうしは接触していてもよいし、若干の隙間が空けられていてもよい。
【０１２７】
この構成では、前記分割吸収要素１０，１５の内側端部１０ａ，１５ａが肌側へ向くように立ち上がった状態で、前記内側端部１０ａ，１５ａに与えられた経血を前記内側端部１０ａ，１５ａから離れる方向へ拡散させやすくなる。よって、着用者の肌に与える湿潤感を低減できる。
【０１２８】
なお、本発明の吸収性物品は、前記生理用ナプキンに限られず、女性のおりものを吸収するパンティライナー、尿取りパッド、おむつの吸収補助パッド、さらには使い捨ておむつなどとして構成することが可能である。
【０１２９】
【実施例】
以下本発明の吸収性物品のさらに好ましい実施例と、その性能について比較例と対比して説明する。
【０１３０】
（１）実施例１
図７において実線で示す圧縮部３０が形成された吸収性物品を実施例１とした。
【０１３１】
（２）実施例２
図１２、図１３に示す構造の吸収性物品を実施例２とした。
【０１３２】
（裏面シート５）
ポリエチレンを主成分としたＴダイ押し出しの液不透過性のシートで、坪量が２５ｇ／ｍ２のものを用いた。
【０１３３】
（分割吸収層１１と補助吸収層２１）
親水繊維、熱溶融接着繊維、高吸収ポリマーで構成し、前記高吸収ポリマーを前記繊維構造体中に分散固定した高吸収シートを用いた。
【０１３４】
前記高吸収シートの全体目付けを２００ｇ／ｍ２とし、前記高吸収シートの中に含まれている前記高吸収ポリマーの目付けを５０ｇ／ｍ２とした。
【０１３５】
（表面シート１２と透液性シート２２）
鞘部がポリエチレンで芯部がポリエチレンテレフタレートの芯鞘構造の２〜４ｄｔｅｘのカットファイバー繊維を用い、２０ｇ／ｍ２に調整したエアースルー不繊布を用いた。
【０１３６】
（弾性部材）
４７０ｄｔｅｘのポリウレタン弾性糸を１．３倍に伸張させた状態で吸収層の長さ方向の７０％に亘ってホットメルト接着剤によって表面シートに固定した。
【０１３７】
（３）比較例１
図１６に示す吸収性物品を比較例１とした。
この吸収性物品は、裏面シート５上に、吸収層４０が設けられ、その吸収層４０上から前記裏面シート５の端部上にかけて表面シート４１が設けられている。この吸収性物品は、実施例１、２と異なって、吸収要素が吸収性物品の中央線を境として両側に二手に分かれておらず、一つの吸収要素が裏面シート５上に設けられている。なお吸収層４０及び表面シート４１の材質は実施例と同じである。
【０１３８】
（４）比較例２
図１７に示す吸収性物品を比較例２とした。
図１７に示す吸収性物品は、特開平９−３１３５２９号公報の図２に示された吸収性物品に近似した構造である。
【０１３９】
すなわち裏面シート５上に吸収層４２とその吸収層４２上を覆う表面シート４３とが設けられ、前記吸収層４２と表面シート４３とが幅方向の中央部で折畳まれて、前記中央部に突堤４４が形成されている。
【０１４０】
（５）比較例３
図１８に示す吸収性物品を比較例３とした。
図１８に示す吸収性物品は図１７に示す吸収性物品を変形させたもので、前記突堤４４内に弾性部材４５を挟んでいる以外は図１７と変わりが無い。前記突堤４４の前記弾性部材４５が挟まれている両側端部４４ａは吸収性物品の前端部と後端部で裏面シート５方向に倒され、前記弾性部材４５の弾性収縮力により、吸収性物品の前縁部と後縁部とが互いに接近するように、表面側が凹状に湾曲させられている。
【０１４１】
（６）前記実施例および比較例の寸法
実施例１と実施例２では、幅方向（図示Ｘ方向）における前記圧縮部（３０または１６）の間の距離（最も狭いところ）をそれぞれ３０ｍｍとした。
【０１４２】
また実施例１は生理用ナプキンの厚みを５ｍｍとし、実施例２は分割吸収要素の折り返し部分を除く厚みを５ｍｍとした。また実施例２では、図１２に示す分割吸収要素１０の先端部の折り返し部分の幅方向（図示Ｘ方向）の寸法を１０ｍｍとした。
【０１４３】
次に比較例２及び比較例３の、突堤４４の幅寸法Ｗ３を３０ｍｍとした。また前記突堤４４の厚みＴを５ｍｍとした。
【０１４４】
（７）吸収試験方法その１
試験方法を図１５に示す。人工経血を吐出できる女性の下半身を型取った人体模型４６に、ショーツに上記した実施例１、２及び比較例１〜３の生理用ナプキンＳを貼り付けて着用させる。
【０１４５】
上記の着用後、装置４７から人工経血を前記生理用ナプキンＳに９０ｇ／ｍｉｎのスピードで３ｇ滴下し、その後、３０秒放置した後、さらに前記人工経血を９５ｇ／ｍｉｎのスピードで４ｇ滴下する。
【０１４６】
そして、各サンプルの生理用ナプキンから人工経血が漏れ出すまでに、注いだ人工経血量を測定した。
【０１４７】
（８）試験結果
その実験結果を表１に示す。
【０１４８】
【表１】
2004089392.tif 000003
【０１４９】
実施例１及び実施例２の生理用ナプキンであれば、比較例の生理用ナプキンに比べて、人工経血が洩れ出るまでに注いだ人工経血量が最も多く、よって実施例１及び実施例２のように、生理用ナプキンの中央部の両側に分割吸収要素があり、その分割吸収要素の両側端部が、使用時に起立する構造であれば、比較例１ないし３のような構造に比べて効果的に横漏れを防止できることがわかった。
【０１５０】
（９）吸収試験方法その２
上記の実施例１及び比較例２の生理用ナプキンを、実際に生理の女性１０名に各５枚ずつ交互に使用させ、横漏れが発生した女性の人数、および枚数を実施例１及び比較例２の生理用ナプキン毎に統計を取った。
【０１５１】
（１０）実験結果
その実験結果を表２に示す。
【０１５２】
【表２】
2004089392.tif 000004
【０１５３】
表２に示すように、実施例１の生理用ナプキンを使用する方が、比較例２の生理用ナプキンを使用する場合よりも横漏れの発生率が低いことがわかった。
【０１５４】
【発明の効果】
以上のように本発明では、吸収性物品の長手方向中央から両側に吸収要素を分けて形成し、且つ前記吸収要素と裏面シート間にクッション層を設けることで、前記吸収性物品の使用状態において、各吸収要素の内側端部が起立しやすくなり、従来に比べて吸収面積を広げることができ、側方からの液体の漏れを防止しやすくなる。
【０１５５】
また本発明の吸収性物品は、横漏れの防止効果が高いために、経血を吸収する生理用ナプキンとして好適である。この場合に左右の分割吸収要素で経血が効果的に吸収されるため、分割吸収要素を薄くして、生理用ナプキン全体の薄型化と小型化を実現できる。また、防漏壁のなくしたりその構造を簡単にでき、製品コストも低減できる。
【図面の簡単な説明】
【図１】本発明の吸収性物品の第１の実施の形態の生理用ナプキンを示す斜視図、
【図２】図１のＩＩ−ＩＩ線の横断面図、
【図３】図２の右側半分を拡大して示す半断面図、
【図４】図１に示す生理用ナプキンが装着時に変形する状態を示す断面図、
【図５】本発明の吸収性物品の第２の実施の形態の生理用ナプキンを示す断面図、
【図６】第３の実施の形態を示す生理用ナプキンの半断面図、
【図７】第４の実施の形態を示す生理用ナプキンの平面図、
【図８】図７のＶＩＩＩ−ＶＩＩＩ線の半断面図、
【図９】第５の実施の形態を示す生理用ナプキンの平面図、
【図１０】図９のＸ−Ｘ線の半断面図、
【図１１】第６の実施の形態を示す生理用ナプキンの半断面図、
【図１２】第７の実施の形態を示す生理用ナプキンの半断面図、
【図１３】図１２に示す生理用ナプキンが装着時に変形する状態を示す断面図、
【図１４】第８の実施の形態を示す生理用ナプキンの斜視図、
【図１５】吸収体の吸い上げ試験の試験方法を示す説明図、
【図１６】比較例１の吸収性物品の断面図、
【図１７】比較例２の吸収性物品の断面図、
【図１８】比較例３の吸収性物品の断面図、
【図１９】従来の吸収性物品の断面図、
【図２０】図１９に示す吸収性物品が装着時に変形する状態を示す断面図、
【符号の説明】
１、１Ａ、１Ｂ、１Ｃ、１Ｄ、１Ｅ、１Ｆ、１Ｇ　生理用ナプキン
５　裏面シート
１０、１５　分割吸収要素
１０ａ、１５ａ　内側端部
１１　分割吸収層
１２　表面シート
２０　クッション層
２１　補助吸収層
２２　透液性シート
１６、３０、３１、３２　圧縮部
１９　境界部
２３、２４　外側吸収部
２５、２６　防漏シート
３２ａ　圧着点
３３　弾性部材
【図１】
2004089392.tif 000005
【図２】
2004089392.tif 000006
【図３】
2004089392.tif 000007
【図４】
2004089392.tif 000008
【図５】
2004089392.tif 000009
【図６】
2004089392.tif 000010
【図７】
2004089392.tif 000011
【図８】
2004089392.tif 000012
【図９】
2004089392.tif 000013
【図１０】
2004089392.tif 000014
【図１１】
2004089392.tif 000015
【図１２】
2004089392.tif 000016
【図１３】
2004089392.tif 000017
【図１４】
2004089392.tif 000018
【図１５】
2004089392.tif 000019
【図１６】
2004089392.tif 000020
【図１７】
2004089392.tif 000021
【図１８】
2004089392.tif 000022
【図１９】
2004089392.tif 000023
【図２０】
2004089392.tif 000024